(57)【要約】【課題】  強誘電性液晶パネルのリセット期間のちらつき現象を目立たなくして、表示品質が高く視認性に優れた強誘電性液晶装置を提供する。【解決手段】  強誘電性液晶パネルを備えた液晶装置において、液晶パネルへの駆動電圧の印加は、１フレーム期間で行われ、１フレーム期間は、強誘電性液晶を２つの安定状態のうち、一方の安定状態にリセットするリセット期間Ｒｅと、強誘電性液晶を２つの安定状態のうち、どちらかの安定状態を選択する選択期間Ｓｅとを備え、リセット期間Ｒｅは、複数の双極性リセットパルスＲｐｄによって構成され、双極性リセットパルスＲｐｄのパルス幅Ｔｒは、選択期間Ｓｅに印加される選択パルスＳｐｄ１〜Ｓｐｄ４のパルス幅Ｔｓと等しいか、それより短い構成とした。【選択図】  図４
2012058296.tif 000002
【特許請求の範囲】
【請求項１】
一対の基板間に２つの安定状態を持つ強誘電性液晶を挟持し、駆動電圧を印加するための電極を有する強誘電性液晶パネルを備えた液晶装置であって、
前記電極への駆動電圧の印加は、前記強誘電性液晶を２つの安定状態のうち一方の安定状態にリセットするリセット期間と、該リセット期間の後に設定され、前記強誘電性液晶を２つの安定状態のうち、どちらかの安定状態を選択する選択期間とを備えた期間で行われ、
前記リセット期間内では、複数の双極性リセットパルスによって、前記強誘電性液晶は、前記一方の安定状態と他方の安定状態との両方の安定状態を示し、
前記複数の双極性リセットパルスによる前記強誘電性液晶の一方の安定状態から他方の安定状態へ移行する繰り返し周期が、人の目が認識出来る時間より短くなるように前記双極性リセットパルスのパルス幅が設定されていることを特徴とする強誘電性液晶装置。
【請求項２】
前記リセット期間における前記双極性リセットパルスの駆動周波数は６０Ｈｚ以上であることを特徴とする請求項１に記載の強誘電性液晶装置。
【請求項３】
前記リセット期間は所定の長さを有し、前記リセット期間の長さの中で、前記双極性リセットパルスのパルス幅に応じてパルス数を設定することを特徴とする請求項１または２に記載の強誘電性液晶装置。
【請求項４】
前記リセット期間は所定の長さを有し、前記リセット期間の長さの中で、前記双極性リセットパルスのパルス数に応じてパルス幅を設定することを特徴とする請求項１または２に記載の強誘電性液晶装置。
【発明の詳細な説明】
【技術分野】
【０００１】
本発明は、２つの安定状態を持ちメモリ性効果を有する強誘電性液晶パネルの表示品質を改善する強誘電性液晶装置に関するものである。
【背景技術】
【０００２】
近年、メモリ性効果を有する強誘電性液晶が盛んに研究開発され、低消費電力の特徴を生かして表示装置や液晶シャッター等の製品化が進んでいる。しかし、強誘電性液晶の動作は、一般的なＴＮ型液晶とは異なっており、特殊な駆動電圧を印加して駆動する必要がある。ここで、公知ではあるが本発明を理解する助けとなるので、強誘電性液晶パネルの構成と動作について概略を以下説明する。
［強誘電性液晶パネルの構成と動作の説明］
まず、強誘電性液晶層を有するメモリ性効果を備えた強誘電性液晶パネルの構造を図８に基づいて説明する。図８（ａ）は強誘電性液晶パネルの偏光板配置の構成を模式的に示した平面図である。図８（ａ）において、強誘電性液晶パネル１２０は、互いの偏光軸をクロスニコルに合わせた偏光板１２１ａ、１２１ｂの間に、偏光板１２１ａの偏光軸Ｃと偏光板１２１ｂの偏光軸Ｄのどちらか一方と、液晶分子の第１の安定状態（矢印Ｅ）もしくは、第２の安定状態（矢印Ｆ）のときの分子長軸方向のどちらかとが、ほぼ平行になるように強誘電性液晶層１２２を配置する。ここで、図８（ａ）においては、偏光板１２１ａの偏光軸Ｃと第１の安定状態（矢印Ｅ）のときの分子長軸方向が、ほぼ平行になるように配置されている。
【０００３】
次に図８（ｂ）は、強誘電性液晶パネル１２０の構造を模式的に示した断面図である。図８（ｂ）において、強誘電性液晶パネル１２０は、少なくとも２つの安定状態を持つメモリ性液晶である強誘電性液晶層１２２を挟持する一対のガラス基板１２３ａ、１２３ｂから構成される。また、このガラス基板１２３ａと１２３ｂはシール材１２６によって固着されている。そして、ガラス基板１２３ａ、１２３ｂの対向面には駆動電極としての複数の走査電極１２４と、信号電極１２５が設けられており、その上に配向膜１２７ａ、１２７ｂが蒸着されている。
【０００４】
さらに一方のガラス基板１２３ａの外側には、前述した如く、強誘電性液晶層１２２の液晶分子の第１もしくは第２の安定状態の時の分子長軸方向が平行になるように第１の偏光板１２１ａが設けられており、他方のガラス基板１２３ｂの外側には、第１の偏光板１２１ａの偏光軸と９０度異なるようにして第２の偏光板１２１ｂが設けられている。
【０００５】
次に、図８で示した強誘電性液晶パネル１２０の動作について図９を用いて説明する。図９は、強誘電性液晶パネル１２０を駆動する駆動電圧（Ｘ軸）に対する光透過率Ｌ（Ｙ軸）の変化を示している。ここで、強誘電性液晶のスイッチング、つまり一方の安定状態から他方の安定状態への転移は、印加する駆動電圧のパルス高値Ｖとパルス幅値Ｔとの積の値ＶＴ（以下、駆動電圧ＶＴと記す）が閾値以上の値となる駆動パルスを強誘電性液晶に印加した場合にのみ起こる。図９において、強誘電性液晶パネル１２０は駆動電圧ＶＴの極性の違いによって、第１の安定状態（非透過（黒）表示）か、第２の安定状態（透過（白）表示）かのいずれかが選択される。
【０００６】
ここで、駆動電圧ＶＴをプラス方向に増加させたとき、光透過率Ｌが変化し始める電圧値を＋Ｖｔ、光透過率Ｌの変化が飽和する電圧値を＋Ｖｈとする。次に駆動電圧ＶＴを減少させ、さらに逆極性のマイナス方向に電圧を増加させて光透過率Ｌが減少し始める電圧値を−Ｖｔ、光透過率Ｌの変化が飽和する電圧値を−Ｖｈとする。ここで、±Ｖｔを強誘
電性液晶の閾値電圧、±Ｖｈを飽和電圧と定義する。
【０００７】
このように強誘電性液晶パネル１２０は、強誘電性液晶の閾値電圧＋Ｖｔを越えて飽和電圧＋Ｖｈ以上の電圧が印加された場合に第２の安定状態が選択され、また、強誘電性液晶の逆極性の閾値電圧−Ｖｔを越えて飽和電圧−Ｖｈ以上の電圧が印加された場合は、第１の安定状態が選択される。そして、その後、駆動電圧ＶＴが０Ｖになっても強誘電性液晶のメモリ性効果によって、それぞれの安定状態は維持される。
【０００８】
この結果、図８（ａ）に示すように偏光板１２１ａ、１２１ｂを配置すると、第２の安定状態で白表示（透過状態）、第１の安定状態で黒表示（非透過状態）となる。尚、偏光板１２１ａ、１２１ｂの配置を変えることにより、第２の安定状態で黒表示（非透過状態）、第１の安定状態で白表示（透過状態）とすることも出来る。
【０００９】
このように強誘電性液晶を用いた液晶パネルは、駆動電圧を印加して表示を書き換えて安定状態とした後、液晶パネルへの電源を遮断しても、表示を維持することが出来るので、省電力に優れた液晶表示装置を容易に実現することが出来る。
［強誘電性液晶パネルの駆動例］
このようなメモリ性効果を備えた強誘電性液晶パネルの駆動は、様々な駆動波形が開示されている（例えば特許文献１参照）。この特許文献１で開示されている従来の強誘電性液晶パネルの駆動波形について図１０を用いて説明する。
【００１０】
図１０は、特許文献１に記載されている強誘電性液晶パネルの従来の駆動波形であり、駆動電圧ＶＣＯＭｎ−１、ＶＣＯＭｎは、走査電極ＣＯＭｎ−１とＣＯＭｎに印加される駆動電圧であり、３値レベルを有している。これらの駆動電圧は、リセット期間Ｒｅと選択期間Ｓｅによって構成される。
【００１１】
駆動電圧ＶＣＯＭｎ−１、ＶＣＯＭｎの先頭の幅の長いパルス列（リセットパルスＲｐ）は、強誘電性液晶パネルに表示データを書き込む前に、強誘電性液晶パネル全体をリセットするためのものである。このリセットのためのパルス列の期間をリセット期間Ｒｅと称し、最初の高い電圧＋ＶＳが印加される期間で強誘電性液晶パネル全体を白表示状態にする。また、次の低い電圧−ＶＳが印加される期間で強誘電性液晶パネル全体を黒表示状態にする。これをもう１回繰り返し、データ書き込みを行う前に強誘電性液晶パネル全体を黒表示状態にリセットする。
【００１２】
このリセット動作の目的は、強誘電性液晶パネルでは、液晶層内に自発分極による大きな電界が存在し、この電界により不純物イオンが偏在したり層構造が変化したりする。これが原因となっていわゆる「焼き付き」が現れてしまうので、表示の書き込み前にリセットパルスを印加し、不純物イオンの拡散や層構造の安定化を図っている。
【００１３】
また、リセット期間Ｒｅ後の選択期間Ｓｅでは、各走査電極を選択する選択パルスＳｐが出力される。ここで、リセットパルスＲｐのパルス幅Ｔｒと選択パルスＳｐのパルス幅Ｔｓを比較すると、図示するように、リセットパルスＲｐのパルス幅Ｔｒのほうがパルス幅Ｔｓより長く設定されている。
【先行技術文献】
【特許文献】
【００１４】
【特許文献１】特開２００３−１７７３７８号公報（第３頁、第６図）
【発明の概要】
【発明が解決しようとする課題】
【００１５】
一般に、リセットパルスは、正負の双極性リセットパルスで構成されている。このような従来技術では、リセットパルスＲｐの前半の電圧＋ＶＳの印加で画素が一定時間白表示となり、後半の電圧−ＶＳの印加で画素が一定時間黒表示となる。ここで、強誘電性液晶パネルへのリセットパルスＲｐは、すべての画素に同時に印加されるので、液晶パネルを肉眼で見た場合、リセット期間Ｒｅにおいて、液晶パネルの全画素が短時間ではあるが、白→黒の変化が認識されて、これが液晶パネルの表示画面全体のちらつきとして見えてしまう。このちらつき現象は、表示内容が変わる度に発生するので、液晶装置の使用者に不快感や違和感を与え、また、表示品質が低下するので問題である。特に特許文献１では、リセットパルスＲｐのパルス幅Ｔｒがかなり長く設定され、かつ複数の双極性リセットパルスを採用しているため、白→黒→白→黒と顕著にちらつきが見えてしまう
本発明の目的は上記課題を解決し、強誘電性液晶パネルのリセット期間のちらつき現象を目立たなくして、表示品質が高く視認性に優れた強誘電性液晶装置を提供することである。
【課題を解決するための手段】
【００１６】
上記課題を解決するために、本発明の強誘電性液晶装置は、下記記載の構成を採用する。
【００１７】
本発明の強誘電性液晶装置は、一対の基板間に２つの安定状態を持つ強誘電性液晶を挟持し、駆動電圧を印加するための電極を有する強誘電性液晶パネルを備えた液晶装置であって、電極への駆動電圧の印加は、強誘電性液晶を２つの安定状態のうち一方の安定状態にリセットするリセット期間と、このリセット期間の後に設定され、強誘電性液晶を２つの安定状態のうち、どちらかの安定状態を選択する選択期間とを備えた期間で行われ、リセット期間内では、複数の双極性リセットパルスによって、強誘電性液晶は、リセット期間内で、一方の安定状態と他方の安定状態との両方の安定状態を示し、複数の双極性リセットパルスによる強誘電性液晶の一方の安定状態から他方の安定状態へ移行する繰り返し周期が、人の目が認識出来る時間より短くなるように双極性リセットパルスのパルス幅が設定されていることを特徴とする。 また、リセット期間における双極性リセットパルスの駆動周波数は６０Ｈｚ以上であることを特徴とする。
【００１８】
また、リセット期間は所定の長さを有し、リセット期間の長さの中で、双極性リセットパルスのパルス幅に応じてパルス数を設定することを特徴とする。
【００１９】
また、リセット期間は所定の長さを有し、リセット期間の長さの中で、双極性リセットパルスのパルス数に応じてパルス幅を設定することを特徴とする。
【発明の効果】
【００２０】
上記の如く本発明によれば、強誘電性液晶パネルのリセットパルスを複数のパルスで構成し、かつ、リセット期間内での強誘電性液晶の一方の安定状態から他方の安定状態へ移行する繰り返し周期が、人の目が認識出来る時間より短くなるように双極性リセットパルスのパルス幅が設定されているので、リセット期間に強誘電性液晶パネルの画素が白または黒に変化しても、その変化が速いので変化を認識できなくなる。これにより、強誘電性液晶装置を表示装置に応用した場合、リセット期間に短時間だけグレー表示となるだけで、ちらつきが目立たなくなり、使用者に不快感や違和感を与えず、表示品質が高く視認性に優れた強誘電性液晶装置を提供することができる。
【００２１】
また、リセットパルスのパルス幅に応じてパルス数を増減することで、リセット期間を所定の長さにできるので、強誘電性液晶パネルの書き換え時間が長くなることがない。これにより、所定の書き換え時間の中で、確実に強誘電性液晶パネルのリセット動作を実現することが出来る。
【図面の簡単な説明】
【００２２】
【図１】本発明の第１の実施形態の強誘電性液晶装置の構成を説明するブロック図である。
【図２】本発明の第１の実施形態の強誘電性液晶装置の動作を説明するフローチャートである。
【図３】本発明の第１の実施形態の駆動電圧とＳＥＧ駆動電圧の一例を説明する波形図である。
【図４】本発明の第１の実施形態の合成駆動電圧の一例を説明する波形図である。
【図５】本発明の第１の実施形態の書き換え前の表示状態とリセット期間での表示状態と選択期間後の表示状態とを示す画素の表示模式図である。
【図６】本発明の第２の実施形態の駆動電圧とＳＥＧ駆動電圧の一例を説明する波形図である。
【図７】本発明の第２の実施形態の合成駆動電圧の一例を説明する波形図である。
【図８】強誘電性液晶パネルの構造を説明する説明図である。
【図９】強誘電性液晶パネルの動作を説明する動作図である。
【図１０】従来の強誘電性液晶パネルの駆動電圧を説明する波形図である。
【発明を実施するための形態】
【００２３】
以下図面により本発明の実施の形態を詳述する。
［各実施形態の特徴］
第１の実施形態の特徴は、複数あるリセットパルスのパルス幅が短く選択期間の選択パルスのパルス幅と等しいことである。これにより、リセット期間でのちらつきが目立たなくなり、また、制御回路を簡単化できる利点がある。また、第２の実施形態の特徴は、リセットパルスのパルス幅が選択パルスのパルス幅より短く、パルス数が第１の実施形態より多いことである。これにより、ちらつきが更に目立たなくなり、表示品質が向上する。
【実施例１】
【００２４】
［第１の実施形態の構成説明：図１］
第１の実施形態の強誘電性液晶装置の構成について図１を用いて説明する。図１において、１は第１の実施形態としての強誘電性液晶装置である。強誘電性液晶装置１は、マイクロコンピュータ（以下、マイコンと略す）１０と、マイコン１０からの制御信号によって制御されるドライバ回路としてのドライバＩＣ２０と、ドライバＩＣ２０によって駆動される強誘電性液晶パネル３０によって構成される。なお、上記構成以外に、マイコン１０とドライバＩＣ２０を駆動する電源などがあるが、本発明に直接係わらないので説明は省略する。
【００２５】
マイコン１０は、一般的なワンチップマイコンであり、データ処理を行う演算部１１、ファームウエアなどを記憶するＲＯＭ１３、データを一時的に記憶するＲＡＭ１４などによって構成される。マイコン１０の内部は、データバスＢ１によって、演算部１１、ＲＯＭ１３、ＲＡＭ１４などが結合され、様々なデータの受け渡しが行われる。また、演算部１１は、ドライバＩＣ２０にコマンドを出力するための制御信号としてのシリアルバスＳＩが接続されている。
【００２６】
ドライバＩＣ２０は、マイコン１０からのシリアルバスＳＩを介してコマンドを入力し、強誘電性液晶パネル３０の動作を制御する制御回路２１、強誘電性液晶パネル３０を駆動する駆動電圧の基となる複数の液晶電圧を生成する電圧発生回路２５、強誘電性液晶パネル３０の信号電極に駆動電圧を供給するＳＥＧ駆動回路２６、及び、強誘電性液晶パネル３０の走査電極に駆動電圧を供給するＣＯＭ駆動回路２７などによって構成される。
【００２７】
また、制御回路２１は、強誘電性液晶パネル３０に供給するリセットパルスのパルス幅やパルス数を決定するリセット制御回路２２と、選択パルスのパルス幅を決定する選択制御回路２３とを含んでいる。なお、図示しないが、ドライバＩＣ２０は、駆動電圧の変動や周囲温度の変化などに応じて駆動電圧のパルス幅を調整する変換テーブルを有している。
【００２８】
また、ドライバＩＣ２０の内部は、制御バスＢ２によって、制御回路２１、電圧発生回路２５、ＳＥＧ駆動回路２６、ＣＯＭ駆動回路２７などが結合され、制御回路２１によって制御されて各回路は様々な動作を実行する。また、制御回路２１は、前述のマイコン１０からのシリアルバスＳＩが接続され、マイコン１０からのコマンドを入力してＳＥＧ駆動回路２６とＣＯＭ駆動回路２７を制御し、強誘電性液晶パネル３０に様々な情報を表示する。
【００２９】
また、電圧発生回路２５は、内部に昇圧回路（図示せず）を有し、複数の液晶電圧Ｖ０、Ｖ１、Ｖ２、Ｖ３を出力して、ＳＥＧ駆動回路２６とＣＯＭ駆動回路２７に供給する。なお、各液晶電圧の電圧値は、一例として、液晶電圧Ｖ０が零ボルトであり、液晶電圧Ｖ１が＋１．２Ｖであり、液晶電圧Ｖ２が液晶電圧Ｖ１を２倍昇圧した＋２．４Ｖ位であり、液晶電圧Ｖ３が液晶電圧Ｖ１を４倍昇圧した＋４．８Ｖ位である。ここで、液晶電圧Ｖ１は強誘電性液晶の閾値電圧Ｖｔ（図９参照）以下に設定され、液晶電圧Ｖ３は強誘電性液晶の飽和電圧Ｖｈ（図９参照）を越えた電圧に設定される。
【００３０】
また、強誘電性液晶パネル３０は、一例として前述の図８で示した強誘電性液晶パネル１２０と同様な構造であり、少なくとも２つの安定状態を持つ強誘電性液晶層（図示せず）を有し、複数の信号電極ＳＥＧと、複数の走査電極ＣＯＭを備えている。そして、信号電極ＳＥＧと走査電極ＣＯＭが対向する箇所にマトリクス状の画素Ｇが多数形成されて、この画素ＧがＯＮまたはＯＦＦすることで、様々な情報を表すことが出来る。
【００３１】
また、ドライバＩＣ２０のＳＥＧ駆動回路２６からは、複数のＳＥＧ駆動電圧ＶＳＥＧが出力して液晶パネル３０の信号電極ＳＥＧに供給され、同様にドライバＩＣ２０のＣＯＭ駆動回路２７からは、複数のＣＯＭ駆動電圧ＶＣＯＭが出力して液晶パネル３０の走査電極ＣＯＭに供給されて、強誘電性液晶パネル３０を駆動する。
［第１の実施形態の動作説明：図１、図２］
次に、第１の実施形態の強誘電性液晶装置１の動作の概略を図２のフローチャートを用いて説明する。なお、強誘電性液晶装置１の構成は図１を参照する。また、動作説明の前提として、強誘電性液晶装置１が、時刻などを表示する電子時計の表示装置であるとする。
【００３２】
図２において、マイコン１０は、強誘電性液晶パネル３０の表示を更新するかどうかを判定する（ＳＴ１）。ここで、表示内容の更新は、例えば、強誘電性液晶装置１が時分の時刻を表示する電子時計の表示部である場合、マイコン１０の演算部１１によって計時動作が行われ、分の桁が進んだときに表示の更新が必要となる。または、電子時計の使用者が操作スイッチ（図示せず）を操作して表示モードを切り替えた場合などに必要となる。このステップＳＴ１が肯定判定であれば次のステップＳＴ２へ進み、否定判定であればステップＳＴ１で表示の更新まで待機状態を保持する。
【００３３】
次にマイコン１０は、ステップＳＴ１で肯定判定がなされたならば、ドライバＩＣ２０の電圧発生回路２５を起動するコマンドをシリアルバスＳＩによってドライバＩＣ２０に送信する。ドライバＩＣ２０の制御回路２１は、このコマンドを受信すると、制御バスＢ２を介して電圧発生回路２５に制御信号を出力し、電圧発生回路２５を起動する。これにより、電圧発生回路２５は、強誘電性液晶パネル３０の駆動に必要な液晶電圧Ｖ０、Ｖ１、Ｖ２、Ｖ３の出力を開始する（ＳＴ２）。
【００３４】
次にマイコン１０は、更新する表示データを表示コマンドに組み込んでシリアルバスＳＩによってドライバＩＣ２０に送信する。ドライバＩＣ２０は、この表示コマンドを受信すると、更新する表示データとして制御回路２１の内部にあるメモリ（図示せず）に一時的に記憶し、更新する表示データの準備を行う（ＳＴ３）。例えば、時刻が１１時５９分から１２時００分に進んだ場合、内蔵メモリに更新する表示データとして１２時００分を記憶させて表示データの準備を整える。
【００３５】
次にドライバＩＣ２０の制御回路２１は、内蔵するリセット制御回路２２によって、強誘電性液晶パネル３０に出力するリセットパルスのパルス幅とパルス数を決定する（ＳＴ４）。この場合、リセットパルスのパルス幅とパルス数は、マイコン１０からのコマンドを受信してリセット制御回路２２で決定されるが、リセット制御回路２２の内部で、予め記憶されたデータに基づいて決定してもよい。
【００３６】
次にドライバＩＣ２０の制御回路２１は、内蔵する選択制御回路２３によって、強誘電性液晶パネル３０に出力する選択パルスのパルス幅を決定する（ＳＴ５）。この場合、選択パルスのパルス幅は、マイコン１０からのコマンドを受信して選択制御回路２３で決定してもよく、または、選択制御回路２３の内部で、予め記憶されたデータに基づいて決定してもよい。なお、リセットパルスと選択パルスのパルス幅等の詳細は後述する。
【００３７】
次にドライバＩＣ２０の制御回路２１は、制御バスＢ２を介してＳＥＧ駆動回路２６とＣＯＭ駆動回路２７を動作させ、リセット制御回路２２によって設定されたリセットパルスを出力して強誘電性液晶パネル３０のすべての画素Ｇをリセットする（ＳＴ６）。
【００３８】
次にドライバＩＣ２０の制御回路２１は、制御バスＢ２を介してＳＥＧ駆動回路２６とＣＯＭ駆動回路２７を動作させ、選択制御回路２３によって設定された選択パルスを表示データに基づいて出力する。これにより、一つの走査電極ＣＯＭが選択されて、そのライン上のすべての画素Ｇが表示データに基づいて白または黒に書き換えられる（ＳＴ７）。
【００３９】
次にドライバＩＣ２０は、強誘電性液晶パネル３０の１フレームの書き換えがすべて終了したかどうかを判定する（ＳＴ８）。ここで、肯定判定であれば次のステップＳＴ９へ進み、否定判定であればステップＳＴ７に戻って、次の走査電極ＣＯＭを選択する選択パルスを出力し、選択された走査電極ＣＯＭ上のすべての画素を書き換える。このようにステップＳＴ７、ＳＴ８を繰り返すことによって、強誘電性液晶パネル３０に１フレーム分の駆動電圧が供給され、強誘電性液晶パネル３０の全画素は新しい表示内容が書き込まれて表示が更新される。
【００４０】
次にマイコン１０は、ステップＳＴ８で肯定判定がなされたならば、１フレームが終了したので停止コマンドをドライバＩＣ２０に送信し、ＳＥＧ駆動回路２６とＣＯＭ駆動回路２７の動作を停止すると共に、電圧発生回路２５の出力を停止して強誘電性液晶パネル３０の書き換え動作を完了する（ＳＴ９）。
【００４１】
尚、ドライバＩＣ２０はステップＳＴ９の終了後、休止状態となり、強誘電性液晶パネ
ル３０への駆動電圧は零ボルト（Ｖ０）となるので、この休止期間の消費電力は極めて小さくなる。また、強誘電性液晶パネル３０はメモリ性液晶パネルであるので、駆動電圧の供給が停止しても、メモリ性効果によって表示が維持されることはもちろんである。
【００４２】
このように、強誘電性液晶装置１は、マイコン１０からのコマンドによってドライバＩＣ２０が制御されて強誘電性液晶パネル３０を駆動するものであり、マイコン１０は、ドライバＩＣ２０を制御して、設定されたリセットパルスを出力し、また、表示データに基づいた選択パルスを出力し、強誘電性液晶パネル３０に適した駆動電圧を供給して、様々な情報を表示することが出来る。
［第１の実施形態の強誘電性液晶装置の駆動波形の説明：図３］
次に、強誘電性液晶パネル３０（図１参照）をマトリクス駆動するＣＯＭ駆動電圧ＶＣＯＭとＳＥＧ駆動電圧ＶＳＥＧとの各駆動波形を図３に基づいて説明する。なお、説明を分かりやすくするために、強誘電性液晶パネル３０の走査電極ＣＯＭを４本とし、この４本の走査電極ＣＯＭに１本の信号電極ＳＥＧが対向して形成される４個の画素Ｇを駆動する駆動電圧を例として説明する。なお、４本の走査電極をＣＯＭ１、ＣＯＭ２、ＣＯＭ３、ＣＯＭ４と称し、１本の信号電極をＳＥＧ１と称する。
【００４３】
また、走査電極ＣＯＭ１と信号電極ＳＥＧ１が対向して形成される画素を画素Ｇ１と称し、以下同様に、走査電極ＣＯＭ２と信号電極ＳＥＧ１による画素Ｇ２、走査電極ＣＯＭ３と信号電極ＳＥＧ１による画素Ｇ３、走査電極ＣＯＭ４と信号電極ＳＥＧ１による画素Ｇ４と称する。また、４本の走査電極ＣＯＭ１〜ＣＯＭ４にそれぞれ供給される４つの駆動電圧をＣＯＭ駆動電圧ＶＣＯＭ１〜ＶＣＯＭ４と称し、１本の信号電極ＳＥＧ１に供給される駆動電圧をＳＥＧ駆動電圧ＶＳＥＧ１と称する。
【００４４】
図３において、まずＣＯＭ駆動電圧ＶＣＯＭ１〜ＶＣＯＭ４（以下、駆動電圧ＶＣＯＭ１〜ＶＣＯＭ４と略す）の駆動波形例を説明する。駆動電圧ＶＣＯＭ１〜ＶＣＯＭ４の１フレーム期間は、リセット期間Ｒｅと選択期間Ｓｅによって構成される。これは、図１０で示した従来例と同様である。すなわち、リセット期間Ｒｅは、強誘電性液晶パネル３０のすべての画素を２つの安定状態のうち、一方の安定状態にリセットする期間である。選択期間Ｓｅは走査電極ＣＯＭ１〜ＣＯＭ４を順次選択し、選択した画素を表示情報に基づいて２つの安定状態のうち、どちらかの安定状態（白または黒）を選択し書き込む期間である。
【００４５】
１フレーム期間の初めのリセット期間Ｒｅは、パルス列となって２つのＣＯＭリセットパルスＲｐｃ（以下、リセットパルスＲｐｃと略す）が出力する。そして、リセットパルスＲｐｃの前半は、液晶電圧Ｖ３が出力し、リセットパルスＲｐｃの後半は、液晶電圧Ｖ０が出力する。すべての駆動電圧ＶＣＯＭ１〜ＶＣＯＭ４のリセット期間Ｒｅは、同一のタイミングで同一の２つのリセットパルスＲｐｃが出力される。これによって、すべての画素Ｇ１〜Ｇ４を同時にリセットすることが出来る。
【００４６】
また、リセット期間Ｒｅのあとの選択期間Ｓｅは、走査電極ＣＯＭ１を選択する第１選択期間Ｓｅ１、走査電極ＣＯＭ２を選択する第２選択期間Ｓｅ２、走査電極ＣＯＭ３を選択する第３選択期間Ｓｅ３、走査電極ＣＯＭ４を選択する第４選択期間Ｓｅ４によって構成される。ここで、第１選択期間Ｓｅ１では、駆動電圧ＶＣＯＭ１から選択パルスＳｐ１が出力する。同様に、第２選択期間Ｓｅ２は駆動電圧ＶＣＯＭ２から選択パルスＳｐ２が出力し、第３選択期間Ｓｅ３は駆動電圧ＶＣＯＭ３から選択パルスＳｐ３が出力し、第４選択期間Ｓｅ４は駆動電圧ＶＣＯＭ４から選択パルスＳｐ４が出力する。
【００４７】
それぞれの第１〜第４選択パルスＳｐ１〜Ｓｐ４の前半は液晶電圧Ｖ０が出力され、後半は液晶電圧Ｖ３が出力される。また、駆動電圧ＶＣＯＭ１の第１選択期間Ｓｅ１以外の
第２〜第４選択期間Ｓｅ２〜Ｓｅ４は、駆動電圧ＶＣＯＭ１の非選択期間であり、前半が液晶電圧Ｖ２、後半が液晶電圧Ｖ１である非選択パルスＮＳｐが出力する。同様に、駆動電圧ＶＣＯＭ２〜ＶＣＯＭ４においても、それぞれの選択期間（Ｓｅ２〜Ｓｅ４）以外の非選択期間では、前半が液晶電圧Ｖ２、後半が液晶電圧Ｖ１である非選択パルスＮＳｐが出力する。また、リセットパルスＲｐｃのパルス幅Ｔｒと第１〜第４選択パルスＳｐ１〜Ｓｐ４のパルス幅Ｔｓは等しく設定されている。
【００４８】
次に、信号電極ＳＥＧ１に供給されるＳＥＧ駆動電圧ＶＳＥＧ１（以下、駆動電圧ＶＳＥＧ１と略す）の駆動波形例を説明する。なお、説明の前提として、画素Ｇ１〜Ｇ４をリセット期間Ｒｅによって、すべて一方の安定状態である黒にした後に、選択期間Ｓｅによって画素Ｇ１とＧ２を白、画素Ｇ３とＧ４を黒とする駆動電圧を例として説明する。
【００４９】
図３において、駆動電圧ＶＳＥＧ１の１フレーム期間は、リセット期間Ｒｅと選択期間Ｓｅによって構成される。駆動電圧ＶＳＥＧ１のリセット期間Ｒｅは、Ｖ３の１／２電圧を中心にしたときに、駆動電圧ＶＣＯＭ１〜ＶＣＯＭ４の２つのリセットパルスＲｐｃとは逆極性の２つのＳＥＧリセットパルスＲｐｓ（以下、リセットパルスＲｐｓと略する）が出力する。すなわち、リセットパルスＲｐｓの前半は、液晶電圧Ｖ０が出力し、後半は液晶電圧Ｖ３が出力する。
【００５０】
また、駆動電圧ＶＳＥＧ１の選択期間Ｓｅは、駆動電圧ＶＣＯＭ１〜ＶＣＯＭ４と同様に、第１〜第４選択期間Ｓｅ１〜ｓｅ４によって構成される。そして、画素Ｇ１が選択される第１選択期間Ｓｅ１は、画素Ｇ１が白となる書き込みをするので、Ｖ３の１／２電圧を中心にしたときに、駆動電圧ＶＣＯＭ１の選択パルスＳｐ１と逆極性の白選択パルスＳｐｗが出力される。すなわち、白選択パルスＳｐｗの前半は液晶電圧Ｖ３であり、後半は液晶電圧Ｖ０である。また同様に、画素Ｇ２が選択される第２選択期間Ｓｅ２は、画素Ｇ２が白となる書き込みをするので、Ｖ３の１／２電圧を中心にしたときに、駆動電圧ＶＣＯＭ２の選択パルスＳｐ２と逆極性の白選択パルスＳｐｗが出力される。すなわち、白選択パルスＳｐｗの前半は液晶電圧Ｖ３であり、後半は液晶電圧Ｖ０である。
【００５１】
また、画素Ｇ３が選択される第３選択期間Ｓｅ３は、画素Ｇ３が黒となる書き込みをするので、Ｖ３の１／２電圧を中心にしたときに、駆動電圧ＶＣＯＭ３の選択パルスＳｐ３と同極性で電圧の低い黒選択パルスＳｐｂが出力される。すなわち、黒選択パルスＳｐｂの前半は液晶電圧Ｖ１であり、後半は液晶電圧Ｖ２である。また同様に、画素Ｇ４が選択される第４選択期間Ｓｅ４は、画素Ｇ４が黒となる書き込みをするので、Ｖ３の１／２電圧を中心にしたときに、駆動電圧ＶＣＯＭ４の選択パルスＳｐ４と同極性で電圧の低い黒選択パルスＳｐｂが出力される。すなわち、黒選択パルスＳｐｂの前半は液晶電圧Ｖ１であり、後半は液晶電圧Ｖ２である。
【００５２】
次に、１フレーム期間が終了したならば、前述したように、強誘電性液晶パネル３０の書き換え動作が完了したので、図示しないが、駆動電圧ＶＣＯＭ１〜ＶＣＯＭ４と駆動電圧ＶＳＥＧ１は、液晶電圧Ｖ０（零ボルト）となる。
［第１の実施形態の強誘電性液晶装置の合成駆動波形の説明：図４］
次に、駆動電圧ＶＣＯＭと駆動電圧ＶＳＥＧを合成した合成駆動波形について図４を用いて説明する。図４において、合成駆動電圧Ｖｐｘ１〜Ｖｐｘ４（以下、駆動電圧Ｖｐｘ１〜Ｖｐｘ４と略す）は、図３で示した駆動電圧ＶＣＯＭ１〜ＶＣＯＭ４と駆動電圧ＶＳＥＧ１を合成した駆動電圧であり、強誘電性液晶パネル３０の画素Ｇ１〜Ｇ４にそれぞれ印加される。
【００５３】
すなわち、強誘電性液晶パネル３０の走査電極ＣＯＭ１〜ＣＯＭ４に駆動電圧ＶＣＯＭ１〜ＶＣＯＭ４が印加され、信号電極ＳＥＧ１に駆動電圧ＶＳＥＧ１が印加されることで
、画素Ｇ１〜Ｇ４には、合成された駆動電圧Ｖｐｘ１〜Ｖｐｘ４が印加されて駆動されるのである。ここで、駆動電圧Ｖｐｘ１は画素Ｇ１を選択し、以下同様に、駆動電圧Ｖｐｘ２〜Ｖｐｘ４は画素Ｇ２〜Ｇ４を選択する。
【００５４】
この駆動電圧Ｖｐｘ１〜Ｖｐｘ４の１フレーム期間は、リセット期間Ｒｅと選択期間Ｓｅによって構成される。リセット期間Ｒｅは、前述のリセットパルスＲｐｃとリセットパルスＲｐｓが合成されてプラスマイナスの双方向のパルスである双極性リセットパルスＲｐｄが２つのパルス列として出力する。これは、リセットパルスＲｐｃとリセットパルスＲｐｓがＶ３の１／２電圧を中心にしたときに逆極性のパルスだからである。
【００５５】
この双極性リセットパルスＲｐｄの前半は、プラス方向の液晶電圧＋Ｖ３が出力し、後半はマイナス方向の液晶電圧−Ｖ３が出力する。すなわち、双極性リセットパルスＲｐｄは、零ボルトである液晶電圧Ｖ０を中心にした交流電圧である。この交流化駆動は、強誘電性液晶の劣化を防ぐために必要であり、後述する選択期間Ｓｅの合成選択パルスも交流電圧である。
【００５６】
このリセット期間Ｒｅにおいて、画素Ｇ１〜Ｇ４には、同時に双極性リセットパルスＲｐｄが２回繰り返して印加されるが、液晶電圧＋Ｖ３と−Ｖ３の絶対値が、強誘電性液晶パネル３０の飽和電圧Ｖｈ（図９参照）を越えるように設定されるならば、すべての画素Ｇ１〜Ｇ４は最初の双極性リセットパルスＲｐｄの前半で白の安定状態になり、次の双極性リセットパルスＲｐｄの後半で、黒の安定状態になる。そして更に次の２つ目の双極性リセットパルスＲｐｄの前半で、すべての画素Ｇ１〜Ｇ４は再び白の安定状態になり、次の双極性リセットパルスＲｐｄの後半で、黒の安定状態になる。すなわち、リセット期間Ｒｅにおいて、強誘電性液晶パネル３０の画素Ｇ１〜Ｇ４は、２つの安定状態の両方をしめし、白→黒→白→黒の動作を繰り返し、リセット期間Ｒｅの最後には黒にリセットされて次の選択期間Ｓｅに移行する。
【００５７】
次にリセット期間Ｒｅ後の選択期間Ｓｅの第１選択期間Ｓｅ１において、駆動電圧Ｖｐｘ１は、駆動電圧ＶＣＯＭ１の選択パルスＳｐ１と駆動電圧ＶＳＥＧ１の白選択パルスＳｐｗが合成された合成選択パルスＳｐｄ１（以下、選択パルスＳｐｄ１と略す）が出力する。この選択パルスＳｐｄ１は、図示するように、パルスの前半は液晶電圧−Ｖ３が出力し、パルスの後半は液晶電圧＋Ｖ３が出力する。これにより、選択パルスＳｐｄ１の前半は、画素Ｇ１は黒の安定状態が続くが、パルスの後半では白の安定状態となる。そして、第１選択期間Ｓｅ１のあとの第２〜第４選択期間Ｓｅ２〜Ｓｅ４は、強誘電性液晶パネル３０の閾値電圧Ｖｔ以下の液晶電圧＋Ｖ１、−Ｖ１が繰り返されるので、白の安定状態が継続する。
【００５８】
また、リセット期間Ｒｅ後の選択期間Ｓｅの第２選択期間Ｓｅ２において、駆動電圧Ｖｐｘ２は、駆動電圧ＶＣＯＭ２の選択パルスＳｐ２と駆動電圧ＶＳＥＧ１の白選択パルスＳｐｗが合成された選択パルスＳｐｄ２が出力する。この選択パルスＳｐｄ２は、図示するように、パルスの前半は液晶電圧−Ｖ３が出力し、パルスの後半は液晶電圧＋Ｖ３が出力する。これにより、選択パルスＳｐｄ２の前半は、画素Ｇ２は黒の安定状態が続くが、パルスの後半では白の安定状態となる。そして、第２選択期間Ｓｅ２のあとの第３、第４選択期間Ｓｅ３、Ｓｅ４は、強誘電性液晶パネル３０の閾値電圧Ｖｔ以下の液晶電圧＋Ｖ１、−Ｖ１が繰り返されるので、白の安定状態が継続する。なお、駆動電圧Ｖｐｘ２の第１選択期間Ｓｅ１は、閾値電圧Ｖｔ以下の液晶電圧−Ｖ１、＋Ｖ１が印加されるので、リセット期間Ｒｅの最後の黒が第１選択期間Ｓｅ１だけ継続する。
【００５９】
また、選択期間Ｓｅの第３選択期間Ｓｅ３において、駆動電圧Ｖｐｘ３は、駆動電圧ＶＣＯＭ３の選択パルスＳｐ３と駆動電圧ＶＳＥＧ１の黒選択パルスＳｐｂが合成された選
択パルスＳｐｄ３が出力する。この選択パルスＳｐｄ３は、図示するように、パルスの前半は液晶電圧−Ｖ１が出力し、パルスの後半は液晶電圧＋Ｖ１が出力する。ここで、液晶電圧−Ｖ１と＋Ｖ１は閾値電圧Ｖｔより小さいので、選択される画素Ｇ３の安定状態が転移することはない。また、第１と第２選択期間Ｓｅ１、Ｓｅ２、及び第４選択期間Ｓｅ４においても、閾値電圧Ｖｔ以下の液晶電圧＋Ｖ１、−Ｖ１が繰り返されるので、安定状態は転移せず、これにより、画素Ｇ３はリセット期間Ｒｅでリセットされた黒の安定状態が継続する。
【００６０】
また、選択期間Ｓｅの第４選択期間Ｓｅ４において、駆動電圧Ｖｐｘ４は、駆動電圧ＶＣＯＭ４の選択パルスＳｐ４と駆動電圧ＶＳＥＧ１の黒選択パルスＳｐｂが合成された選択パルスＳｐｄ４が出力する。この選択パルスＳｐｄ４は、図示するように、パルスの前半は液晶電圧−Ｖ１が出力し、パルスの後半は液晶電圧＋Ｖ１が出力する。ここで、液晶電圧−Ｖ１と＋Ｖ１は閾値電圧Ｖｔより小さいので、選択される画素Ｇ４の安定状態が転移することはない。また、第１〜第３選択期間Ｓｅ１〜Ｓｅ３においても、閾値電圧Ｖｔ以下の液晶電圧＋Ｖ１、−Ｖ１が繰り返されるので、安定状態は転移せず、これにより、画素Ｇ４はリセット期間Ｒｅでリセットされた黒の安定状態が継続する。
【００６１】
この結果、１フレーム期間において、すべての画素Ｇ１〜Ｇ４は、リセット期間Ｒｅによって黒にリセットされたのち、選択期間Ｓｅでの駆動電圧の印加によって、画素Ｇ１とＧ２は、白表示となり、画素Ｇ３とＧ４は、黒表示となる。なお、本実施例では、双極性リセットパルスＲｐｄのパルス幅Ｔｒは、前述したように、選択パルスＳｐｄ１〜Ｓｐｄ４のパルス幅Ｔｓと等しく設定される。これにより、リセット期間Ｒｅと選択期間Ｓｅのパルス幅が等しいので、前述したリセット制御回路２２と選択制御回路２３の回路構成を簡単化できる利点がある。なお、ここで強誘電性液晶の一方の安定状態から他方の安定状態へ移行する繰り返し周期が、人の目が認識出来る時間より短くなるように、双極性リセットパルスＲｐｄのパルス幅Ｔｒを設定する。一般に人の目が認識できる時間より短くするには、駆動電圧の駆動周波数を駆動周波数を６０Ｈｚ以上にすることが望ましい。よって、本実施形態では一例として、双極性リセットパルスＲｐｄの駆動周波数を６０Ｈｚとし、双極性リセットパルスＲｐｄのパルス幅Ｔｒを約１６ｍＳに設定した。
［第１の実施形態の画素表示状態の説明：図５］
次に、図４で示した合成駆動波形によって、強誘電性液晶パネル３０の画素Ｇ１〜Ｇ４がどのように表示されるかの一例を図５の模式図によって説明する。なお、図５において画素Ｇ１〜Ｇ４は、走査電極ＣＯＭ１〜ＣＯＭ４と信号電極ＳＥＧ１がそれぞれ対向して形成される画素であるが、信号電極ＳＥＧ１に隣接する信号電極ＳＥＧ２と対向して形成される画素は図示を省略している。また実際には、さらに多くの走査電極と信号電極が形成され、各電極が対向する位置に画素が形成される。
【００６２】
図５において、画素Ｇ１〜Ｇ４の書き換え前の表示状態は、強誘電性液晶のメモリ性効果によって、画素Ｇ１とＧ３が白表示であり、画素Ｇ２とＧ４が黒表示である一例を示している。この状態から画素を書き換えるための１フレーム期間が開始されると（図４参照）、最初のリセット期間Ｒｅでは、前述したように、画素Ｇ１〜Ｇ４に２つの双極性リセットパルスＲｐｄが印加される。
【００６３】
これにより、画素Ｇ１〜Ｇ４は安定状態が転移して表示が白→黒→白→黒と変化する。しかし、前述したように、双極性リセットパルスＲｐｄのパルス幅Ｔｒは、人の目が認識出来る時間より短い時間に設定されているので、使用者が強誘電性液晶パネル３０を見ると、画素の白→黒→白→黒の変化が認識できず、図示するように、白表示と黒表示の中間色であるグレーに近い状態として見える。すなわち、リセット期間でのちらつき現象が目立たなくなる。
【００６４】
次に選択期間Ｓｅでは、画素Ｇ１〜Ｇ４は駆動電圧Ｖｐｘ１〜Ｖｐｘ４によって、画素Ｇ１とＧ２が白表示、画素Ｇ３とＧ４が黒表示となる電圧が印加されるので、画素Ｇ１〜Ｇ４は、グレーに近い状態から、画素Ｇ１とＧ２が白表示、画素Ｇ３とＧ４が黒表示となり、以降、この表示状態がメモリ性効果によって継続する。すなわち、１フレーム期間での書き換え動作によって、書き換え前の表示状態から、リセット期間Ｒｅですべての画素が短時間グレーに近い表示状態になったのちに、選択期間Ｓｅで書き換えられて、更新された表示状態に移行する。
【００６５】
このように、本発明の第１の実施形態では、リセット期間Ｒｅに２つの双極性リセットパルスＲｐｄを印加すると共に、リセット期間Ｒｅにおいて、強誘電性液晶が、一方の安定状態から他方の安定状態へ繰り返し移行しても、人の目が認識出来ないように双極性リセットパルスの駆動周期を大きくし、パルス幅Ｔｒを短く設定したので、画素の表示状態を短期間で白と黒を繰り返しても、見た目の表示状態をグレーに近い状態にすることが出来た。
【００６６】
これにより、リセット期間Ｒｅでのちらつき現象が目立たなくなると共に、書き換え前表示から書き換え後表示へ移行するときに、表示が短時間グレーに近い状態となるので、表示の変化が滑らかで見やすい動きとなる。この結果、使用者に不快感や違和感を与えず、表示品質が高く視認性に優れた強誘電性液晶装置を提供することができる。
【００６７】
また、双極性リセットパルスのパルス幅Ｔｒは短くなるが、双極性リセットパルスを２回繰り返すことで、強誘電性液晶パネルは確実にリセットされて、強誘電性液晶層の不純物イオンの拡散や層構造の安定化を実現し、焼き付き現象の解消を行うことが出来る。
【実施例２】
【００６８】
［第２の実施形態の構成説明：図１］
次に、第２の実施形態の強誘電性液晶装置の構成について説明する。ここで、第２の実施形態は、前述したように、リセットパルスのパルス幅が選択期間の選択パルスのパルス幅と比較して短いが、これは、マイコン１０からのコマンドによって、リセット制御回路２２から出力する制御信号を制御し、リセット期間における駆動電圧ＶＣＯＭや駆動電圧ＶＳＥＧの駆動周波数を切り替え、リセットパルスのパルス幅とパルス数を決定している。ここで、第２の実施形態の構成は、図１で示した第１の実施形態の構成と同一であるので、構成の説明は省略する。また、第２の実施形態の基本的な動作についても、前述の図２のフローチャートと同様であるので、基本的な動作についての説明は省略する。
［第２の実施形態の強誘電性液晶装置の駆動波形の説明：図６］
次に、第２の実施形態の駆動電圧ＶＣＯＭと駆動電圧ＶＳＥＧとの各駆動波形を図６に基づいて説明する。なお、第１の実施形態と同様に、説明を分かりやすくするために、強誘電性液晶パネル３０の走査電極ＣＯＭ（図１参照）を４本とし、この４本の走査電極ＣＯＭに１本の信号電極ＳＥＧ（図１参照）が対向して形成される４個の画素Ｇ１〜Ｇ４を駆動することを例として説明する。
【００６９】
なお、第１の実施形態と同様に、４本の走査電極をＣＯＭ１〜ＣＯＭ４と称し、１本の信号電極をＳＥＧ１と称する。また、４本の走査電極ＣＯＭ１〜ＣＯＭ４にそれぞれ供給される４つの駆動電圧をＣＯＭ駆動電圧ＶＣＯＭ１´〜ＶＣＯＭ４´と称し、１本の信号電極ＳＥＧ１に供給される駆動電圧をＳＥＧ駆動電圧ＶＳＥＧ１´と称する。
【００７０】
図６において、まずＣＯＭ駆動電圧ＶＣＯＭ１´〜ＶＣＯＭ４´（以下、駆動電圧ＶＣＯＭ１´〜ＶＣＯＭ４´と略す）の駆動波形例を説明する。４つの駆動電圧ＶＣＯＭ１´〜ＶＣＯＭ４´の１フレーム期間は、リセット期間Ｒｅ´と選択期間Ｓｅによって構成される。１フレーム期間の初めのリセット期間Ｒｅ´は、パルス列となって４つのＣＯＭリ
セットパルスＲｐｃ´（以下、リセットパルスＲｐｃ´と略す）が出力する。そして、リセットパルスＲｐｃ´のそれぞれの前半は、液晶電圧Ｖ３が出力し、リセットパルスＲｐｃ´のそれぞれの後半は、液晶電圧Ｖ０が出力する。
【００７１】
そして、第２の実施形態のリセット期間Ｒｅ´が、第１の実施形態のリセット期間Ｒｅと同一時間であると仮定すると、４つのリセットパルスＲｐｃ´のそれぞれのパルス幅Ｔｒ´は、第１の実施形態のリセットパルスＲｐｃのパルス幅Ｔｒの半分である。すなわち、４つのリセットパルスＲｐｃ´のパルス幅Ｔｒ´は、選択期間Ｓｅの選択パルスＳｐ１のパルス幅Ｔｓの半分の長さとなる。なお、駆動電圧ＶＣＯＭ１´〜ＶＣＯＭ４´のリセット期間Ｒｅ´のあとの選択期間Ｓｅは、第１の実施形態と同様の駆動波形であるので、説明は省略する。
【００７２】
次に、信号電極ＳＥＧ１に供給されるＳＥＧ駆動電圧ＶＳＥＧ１´（以下、駆動電圧ＶＳＥＧ１´と略する）の駆動波形例を説明する。なお、説明の前提として、第１の実施形態と同様に、画素Ｇ１〜Ｇ４をリセット期間Ｒｅ´によって、すべて一方の安定状態である黒にした後に、画素Ｇ１とＧ２を白、画素Ｇ３とＧ４を黒とする駆動電圧を例として説明する。
【００７３】
図６において、駆動電圧ＶＳＥＧ１´の１フレーム期間は、リセット期間Ｒｅ´と選択期間Ｓｅによって構成される。駆動電圧ＶＳＥＧ１´のリセット期間Ｒｅ´は、Ｖ３の１／２電圧を中心にしたときに、駆動電圧ＶＣＯＭ１´〜ＶＣＯＭ４´の４つのリセットパルスＲｐｃ´とは逆極性の４つのＳＥＧリセットパルスＲｐｓ´（以下、リセットパルスＲｐｓ´と略する）が出力する。すなわち、リセットパルスＲｐｓ´の前半は、液晶電圧Ｖ０が出力し、後半は液晶電圧Ｖ３が出力する。
【００７４】
また、駆動電圧ＶＳＥＧ１´の選択期間Ｓｅの駆動波形は、第１の実施形態と同様であるので説明は省略する。このようにして、１フレーム期間が終了したならば、前述したように書き換え動作が完了したので、図示しないが、駆動電圧ＶＣＯＭ１´〜ＶＣＯＭ４´と駆動電圧ＶＳＥＧ１´は、液晶電圧Ｖ０（零ボルト）となる。
［第２の実施形態の強誘電性液晶装置の合成駆動波形の説明：図７］
次に、第２の実施形態の駆動電圧と駆動電圧を合成した合成駆動波形を図７を用いて説明する。図７において、合成駆動電圧Ｖｐｘ１´〜Ｖｐｘ４´（以下、駆動電圧Ｖｐｘ１´〜Ｖｐｘ４´と略す）は、それぞれ、図６で示した駆動電圧ＶＣＯＭ１´〜ＶＣＯＭ４´と駆動電圧ＶＳＥＧ１´を合成した駆動電圧であり、画素Ｇ１〜Ｇ４にそれぞれ印加される。ここで、駆動電圧Ｖｐｘ１´は画素Ｇ１を選択し、以下同様に、駆動電圧Ｖｐｘ２´〜Ｖｐｘ４´は画素Ｇ２〜Ｇ４を選択する。
【００７５】
この駆動電圧Ｖｐｘ１´〜Ｖｐｘ４´の１フレーム期間は、リセット期間Ｒｅ´と選択期間Ｓｅによって構成される。リセット期間Ｒｅ´は、前述のリセットパルスＲｐｃ´とリセットパルスＲｐｓ´が合成されてプラスマイナスの双方向のパルスである双極性リセットパルスＲｐｄ´が４つのパルス列として出力する。これは、リセットパルスＲｐｃ´とリセットパルスＲｐｓ´がＶ３の１／２電圧を中心にしたときに逆極性のパルスだからである。
【００７６】
この双極性リセットパルスＲｐｄ´の前半は、プラス方向の液晶電圧＋Ｖ３が出力し、後半はマイナス方向の液晶電圧−Ｖ３が出力する。すなわち、零ボルトである液晶電圧Ｖ０を中心に交流電圧が出力される。そして、双極性リセットパルスＲｐｄ´のパルス幅Ｔｒ´は、選択パルスのパルス幅Ｔｓより短い。そして前述したように、第１の実施形態のリセット期間Ｒｅと第２の実施形態のリセット期間Ｒｅ´を同一時間とするならば、双極性リセットパルスＲｐｄ´のパルス幅Ｔｒ´は、選択パルスのパルス幅Ｔｓの半分であり
、本実施形態でも、白から黒、あるいは黒から白へ移項する繰り返し周期が、人の目が認識出来る時間より短くなるように設定されて、たとえば、本実施形態では、パルス幅Ｔｒ´を約８ｍＳと設定し、駆動周波数は約１２０Ｈｚとしている。なお、このように選択パルスのパルス幅Ｔｓを双極性リセットパルスＲｐｄ´のパルス幅Ｔｒ´の整数倍（本実施形態では２倍）とすると、電圧制御が容易になり、回路構成が簡易化でき良好である。
【００７７】
このリセット期間Ｒｅ´において、画素Ｇ１〜Ｇ４には、同時に双極性リセットパルスＲｐｄ´が４回繰り返して印加されるが、液晶電圧＋Ｖ３と−Ｖ３の絶対値が、強誘電性液晶パネル３０の飽和電圧Ｖｈを越えるように設定されるならば、すべての画素Ｇ１〜Ｇ４は最初の双極性リセットパルスＲｐｄ´の前半で白の安定状態になり、次に双極性リセットパルスＲｐｄ´の後半で、黒の安定状態になる。
【００７８】
そして更に次の２つ目の双極性リセットパルスＲｐｄ´の前半で、すべての画素Ｇ１〜Ｇ４は再び白の安定状態になり、次に双極性リセットパルスＲｐｄ´の後半で、再び黒の安定状態になる。ここで、双極性リセットパルスＲｐｄ´は４つ連続して出力するので、リセット期間Ｒｅ´において、強誘電性液晶パネル３０の画素Ｇ１〜Ｇ４は、短時間で白→黒を４回繰り返し、セット期間Ｒｅ´の最後には黒にリセットされて次の選択期間Ｓｅに移行する。なお、リセット期間Ｒｅ´後の選択期間Ｓｅの駆動波形は、第１の実施形態と同様であるので説明は省略する。
【００７９】
以上のように、第２の実施形態の駆動電圧Ｖｐｘ１´〜Ｖｐｘ４´によって、すべての画素Ｇ１〜Ｇ４は、リセット期間Ｒｅ´で白→黒を４回繰り返した後に黒にリセットされ、選択期間Ｓｅで画素Ｇ１とＧ２は白表示となり、画素Ｇ３とＧ４は黒表示となる。
【００８０】
この第２の実施形態の駆動電圧Ｖｐｘ１´〜Ｖｐｘ４´による画素Ｇ１〜Ｇ４の表示変化の動きは、前述の第１の実施形態の図５と同様であるが、リセット期間Ｒｅ´での双極性リセットパルスＲｐｄ´のパルス数が多く、パルス幅が短いので、画素の表示状態は人の目が認識出来る時間よりさらに短い時間で変化する。これにより、リセット期間Ｒｅ´でのちらつき現象は更に目立たなくなり、表示はグレーに近い状態となる。この結果、書き換え前表示から書き換え後表示へ移行するときの表示状態は、一段と表示の変化が滑らかで見やすい動きとなり、使用者に不快感や違和感を与えず、表示品質が高く視認性に優れた強誘電性液晶装置を提供することができる。
【００８１】
なお、リセット期間Ｒｅにおける双極性リセットパルスのパルス数は、２個以上であれば限定されず、さらにパルス数を増やしてもよい。また、リセット期間Ｒｅが長すぎると、ちらつきが目立ちやすくなり、また、表示の書き換えのための１フレーム期間が長くなるので、リセット期間Ｒｅは所定の時間を超えない設定が必要である。このために、所定の長さのリセット期間Ｒｅの中で、双極性リセットパルスのパルス幅に応じてパルス数を決定する、または、双極性リセットパルスのパルス数に応じてパルス幅を決定するとよい。
【００８２】
たとえば、第２の実施形態のように、双極性リセットパルスのパルス数が４つである場合は、第１の実施形態のパルス幅をそのまま用いると、リセット期間Ｒｅ´が長すぎて、ちらつきが目立ちやすくなり、また、１フレーム期間も長くなってしまう。このため、第２の実施形態では、双極性リセットパルスのパルス幅を選択パルスの１／２とすることで、リセット期間Ｒｅ´を一定とし、且つ、パルス幅を短くしたことで、ちらつき現象をさらに目立たなくすることが出来る。
【００８３】
また、双極性リセットパルスのパルス数が６つである場合は、そのパルス幅は選択パルスのパルス幅の１／３程度であるとよい（この場合は、選択パルスのパルス幅が双極性リ
セットパルスのパルス幅の３倍）。これによって、リセット期間Ｒｅの長さを一定に保つことが出来るので、書き換え時間（１フレーム期間）が長くなることがない。また、双極性リセットパルスのパルス数に応じてパルス幅を短くすることで、ちらつき現象をさらに改善することが可能となる。
【００８４】
また、双極性リセットパルスのパルス幅を、人の目が画素の変化を認識出来る時間より、短い時間に設定するので、リセット期間Ｒｅにおけるちらつき現象を確実に目立たなくすることが出来る。また、双極性リセットパルスのパルス幅を短くしても、パルス幅に応じてパルス数を増やすならば、リセット期間全体のパルス幅は変わらないので、強誘電性液晶パネルを確実にリセットすることが出来る。
【００８５】
また、１フレームのリセット期間Ｒｅと選択期間Ｓｅの間に、駆動電圧がＶ０となる所定の長さの休止期間を設けても良い。また、強誘電性液晶は、低温では閾値電圧Ｖｔが高くなる温度特性を有している。このため、図示しないが、装置の中に温度センサを設けて、周囲温度が所定の温度以下になった場合は、マイコン１０によって双極性リセットパルスのパルス幅を長くする、または、パルス数を増やすなどの制御を行うことで、温度特性を補償できる。
【００８６】
なお、本発明の強誘電性液晶パネルにおける画素はマトリクス状の配置には限定されず、例えば、７セグメントや固有の模様などでも良い。また、強誘電性液晶パネルは、表示パネルに限定されず、例えば、プリンタのヘッド用としての液晶シャッターなどでも良い。また、実施例において、強誘電性液晶の２つの安定状態を白または黒としたが、画素の表示状態は色彩や濃度の異なる２つの表示状態であれば限定されない。また、本発明の実施形態で示したブロック図や駆動電圧の波形等は、これに限定されるものではなく、本発明の要旨を満たすものであれば、任意に変更してよい。
【産業上の利用可能性】
【００８７】
本発明の強誘電性液晶装置は低消費電力であると共に、表示品質に優れた液晶装置を実現できるので、特に電池駆動の小型電子機器の表示装置として好適であり、電子棚札、電子時計、携帯電話、携帯端末等の表示装置として幅広く利用することが出来る。
【符号の説明】
【００８８】
１  強誘電性液晶装置
１０  マイクロコンピュータ（マイコン）
１１  演算部
１３  ＲＯＭ
１４  ＲＡＭ
２０  ドライバＩＣ
２１  制御回路
２２  リセット制御回路
２３  選択制御回路
２５  電圧発生回路
２６  ＳＥＧ駆動回路
２７  ＣＯＭ駆動回路
３０  強誘電性液晶パネル
Ｇ、Ｇ１〜Ｇ４  画素
Ｂ１  データバス
Ｂ２  制御バス
ＳＩ  シリアルバス
ＣＯＭ  走査電極
ＳＥＧ  信号電極
Ｖ０、Ｖ１、Ｖ２、Ｖ３  液晶電圧
ＶＣＯＭ１〜ＶＣＯＭ４  ＣＯＭ駆動電圧
ＶＳＥＧ１  ＳＥＧ駆動電圧
Ｖｐｘ１〜Ｖｐｘ４  合成駆動電圧
Ｒｅ  リセット期間
Ｒｐｃ  ＣＯＭリセットパルス
Ｒｐｓ  ＳＥＧリセットパルス
Ｒｐｄ  双極性リセットパルス
Ｓｅ  選択期間
Ｓｅ１〜Ｓｅ４  第１〜第４選択期間
Ｓｐｗ  白選択パルス
Ｓｐｂ  黒選択パルス
Ｓｐ１〜Ｓｐ４  選択パルス
Ｓｐｄ１〜Ｓｐｄ４  合成選択パルス
【図１】
2012058296.tif 000003
【図２】
2012058296.tif 000004
【図３】
2012058296.tif 000005
【図４】
2012058296.tif 000006
【図５】
2012058296.tif 000007
【図６】
2012058296.tif 000008
【図７】
2012058296.tif 000009
【図８】
2012058296.tif 000010
【図９】
2012058296.tif 000011
【図１０】
2012058296.tif 000012